(57)【要約】【課題】  １枚の樹脂製の板材で複数の表紙が形成されたファイルは、板材に樹脂肉薄部が設けられ、当該樹脂肉薄部を介して隣り合う表紙がそれぞれ配置されるものであるが、このようなファイルの表紙を開いたり閉じたりすると樹脂肉薄部に内部応力がかかるためその箇所が他の箇所に比べて顕著に劣化するばかりか、表紙を一方向に回転させて開きやすいように成形すると、その表紙体を逆の方向に回転させると樹脂肉薄部にかかる負担がより大きくなる。【解決手段】  本発明のファイルは、第１材料で形成された複数の表紙体と第１材料よりも高い弾力性を有する第２材料で形成されたヒンジ体とを有し、１の表紙体はヒンジ体を介して他の表紙体と接合されている。このため、１の表紙体を他の表紙体に対して相対的に回動させてファイルを開閉するに際して、その回動により生じる内部応力はヒンジ体の高い弾力性により吸収される。【選択図】図１０
2015229309.tif 000002
【特許請求の範囲】
【請求項１】
第１材料で形成された複数の表紙体と、
前記第１材料よりも高い弾力性を有する第２材料で形成され、前記複数の表紙体に接合されたヒンジ体と、
を有し、
前記表紙体は、前記ヒンジ体を介して他の表紙体と接合されている、
ファイル。
【請求項２】
前記表紙体の一側端と前記ヒンジ体の一側端とが接合された、
請求項１に記載のファイル。
【請求項３】
第１材料により形成された接合体を有し、
前記接合体の一側端と前記ヒンジ体と前記ヒンジ体の一側端とが接合されるとともに前記接合体の一面が前記表紙体の一面の端部に接合されることで、前記表紙体と前記ヒンジ体とが間接的に接合された、
請求項１に記載のファイル。
【請求項４】
第１表紙体と第２表紙体とを有し、
前記第１表紙体と前記第２表紙体との間にヒンジ体を有し、前記ヒンジ体が背表紙を形成する、
請求項１から請求項３のいずれかに記載のファイル。
【請求項５】
第１表紙体と第２表紙体と第３表紙体とを有し、前記第１表紙体と前記第３表紙体とが第１ヒンジ体を介して隣接するとともに前記第２表紙体と前記第３表紙体とが第２ヒンジ体を介して隣接する、
請求項１から請求項３のいずれかに記載のファイル。
【発明の詳細な説明】
【技術分野】
【０００１】
本発明は、合成樹脂にて表紙体が成形されたファイルに関する。
【背景技術】
【０００２】
従来の合成樹脂製の表紙部と背表紙部とを有するファイルは、樹脂肉薄部を介して表紙部と背表紙部とが一体に形成されており、当該樹脂薄肉部は、表紙部と背表紙部とが水平となる状態と表紙部が背表紙部に対して屈曲した状態と、すなわちファイルを開いた状態と閉じた状態とを実現するためのヒンジとしての役目を果たすものである。
【先行技術文献】
【特許文献】
【０００３】
【特許文献１】特開２００１−４７７８２号公報
【発明の概要】
【発明が解決しようとする課題】
【０００４】
合成樹脂製の表紙部と背表紙部とが一体に形成されたファイルは、１枚の合成樹脂製板材の１方向に延在するように樹脂肉薄部が設けられ、当該樹脂肉薄部を境界として表紙部と背表紙部とが配置される。具体的には、ファイルの外面に、その内面にむかって凹む凹部が各表紙の長手方向に延在するように形成され、その凹部の底が樹脂肉薄部となる。これにより、このようなファイルは、表紙部を背表紙部に対して内面にむかう方向に回動させてファイルを閉じるのに適しているが、その様に閉じると、樹脂薄肉部に内部応力が生じる。
【０００５】
他方、ファイルを開いた状態から表紙部を背表紙部に対して外面にむかう方向に回動させると、凹部の表紙部側端部と背表紙部側端部とが当接することにより、その当接部を起点に樹脂薄肉部に対して表紙部と背表紙部とが離れる方向に引っ張る力が働くため、この動作を繰り返すと、樹脂薄肉部から表紙部と背表紙部とが切断されてしまう虞がある。
【０００６】
特許文献１に記載の発明は、ファイルの外面に凹部が各表紙の長手方向に延在するとともに、表紙部または背表紙部のいずれかにおける内面の近傍に、外面にむかって凹む溝部が各表紙の長手方向に延在するように形成されることで、表紙部を背表紙部に対して内面にむかう方向に回動させるように閉じることにより生じる内部応力が樹脂薄肉部に集中しないで分散するものであるが、表紙部を背表紙部に対して外面にむかう方向に回動させることは想定されておらず、このような動作により樹脂薄肉部に対して表紙部と背表紙部とが離れる方向に引っ張る力が働くことを防ぐものではない。
【０００７】
本発明は、合成樹脂製の表紙部と背表紙部とを有するファイルにおいて、表紙部を背表紙部に対して第一方向に回動させる場合と、その逆方向である第二方向に回動させる場合と、においてそれぞれ存在する課題を同時に解決するものである。
【課題を解決するための手段】
【０００８】
本発明のファイルは、第１材料で形成された複数の表紙体と、前記第１材料よりも高い弾力性を有する第２材料で形成され、前記複数の表紙体に接合されたヒンジ体と、を有し、前記表紙体は、前記ヒンジ体を介して他の前記表紙体と接合されている。
【０００９】
さらに、本発明のファイルは、前記表紙体の一側端と前記ヒンジ体と前記ヒンジ体の一側端とが少なくともその一部で接合されているが、なお好適には、それぞれの略全長に亘って接合されている。
【００１０】
表紙体とヒンジ体とを直接接合する他、接合体を介して表紙体とヒンジ体とを接合してもよい。すなわち、第１材料により長尺状に形成された接合体を有し、前記接合体の一側端と前記ヒンジ体の一側端とが少なくともその一部で接合されるとともに前記接合体の一面が前記表紙体の一面の端部に接合されることで、前記表紙体と前記ヒンジ体とが間接的に接合される。なお、前記接合体の一側端と前記ヒンジ体の一側端とがそれぞれの略全長に亘って接合されていると好適である。
【００１１】
さらに、前記接合体は、底板と、当該底板から略垂直に立設された起立板と、当該起立板から延出して前記底板と略平行状を呈する上板と、を有して断面が略コの字状を呈し、底板もしくは上板の起立板と接する一側端や起立板が前記ヒンジ体と接合され、前記表紙体の端部が、前記底板の前記上板と対向する面および前記上板の前記底板と対向する面のいずれかもしくは両方に接合される、つまり、表紙体が略コの字状の内側に挟まれるように接合されるように形成してもよい。
【００１２】
それぞれ第１材料により形成された第１表紙体と第２表紙体と第３表紙体とを有し、前記第１表紙体と前記第３表紙体とが第１ヒンジ体を介して隣接するとともに前記第２表紙体と前記第３表紙体とが第２ヒンジ体を介して隣接するようにしてもよい。すなわち、第３表紙体の長手方向の両側端がそれぞれ１のヒンジ体の一側端と他のヒンジ体の一側端に接合され、それぞれのヒンジ体において第３表紙体と接合された一側端と対向する他の側端が第１表紙体および第２表紙体や接合体に接合される。
【発明の効果】
【００１３】
本発明に拠れば、表紙部が合成樹脂にて成形された表紙部を隣り合う他の表紙部に対して略３６０度回転させるように開くことが容易に可能で、さらに、それによって表紙部の一部に内部応力が集中してその箇所が他の箇所に比べて顕著に劣化することがないファイルを提供することができる。
【００１４】
また、接合体を介してヒンジ体と表紙体とを接合する構成であれば、表紙体と接合体とが接合されることにより表紙体の強度が増し、これによりヒンジ体がファイルを開閉する方向とは異なる意図しない方向に曲がることを防止できるとともに、表紙体と接合体とを同じ材料で成形するのであれば、ヒンジ体と接合体とを同時に押し出し成型した後に表紙体と接合体とを溶着などにより接合すればよい、すなわちヒンジ体と表紙体とを別々に押し出し成型することができるため、とくに面積が大きい表紙体において、表紙体とヒンジ体と同時に押し出し成型する場合に比べてその成形に歪みを生じる可能性を低減することができる。
【００１５】
さらに、固定された幅を持つ背表紙を有する従来のファイルであればそのファイルに綴じられた書類などの内容物の量により生じる厚さが背表紙の幅を超えない場合であってもファイルの厚さ（背幅）が一定であるのに対し、本発明のファイルは、それを閉じた状態においてヒンジ体は背表紙の全部もしくはその一部を構成することになるため、それに綴じられた書類などの内容物の量により生じる厚さがヒンジ体が構成しうる幅を超えないのであれば、その厚さに近い幅までヒンジ体を押し潰すことができるため、特にこのファイルを棚などに収納する場合において、綴じられる書類の厚さを著しく超える幅を要さず、コンパクトである。
【図面の簡単な説明】
【００１６】
【図１】第１実施状態に係るファイルの表紙を開いた状態を示す斜視図。
【図２】第１実施状態に係るファイルの表紙を閉じた状態を示す側面図。
【図３】第２実施状態に係るファイルの表紙を開いた状態を示す斜視図。
【図４】第２実施状態に係るファイルの表紙を閉じた状態を示す側面図。
【図５】第３実施状態に係るファイルの表紙を閉じた状態を示す側面図。
【図６】第４実施状態に係るファイルの表紙を閉じた状態を示す側面図。
【図７】第２実施状態に係るファイルにポケットを付してその表紙を閉じた状態を示す側面図。
【図８】第４実施状態に係るファイルにポケットを付してその表紙を閉じた状態を示す側面図。
【図９】第４実施状態に係るファイルにポケットを付してその表紙を開いた状態を示す斜視図。
【図１０】ファイルを閉じた状態からいずれかの表紙体を略３６０度回動させた状態を示す斜視図。
【図１１】図１０に示されたファイルの使用状態を例示する概念図。
【図１２】従来例に係るファイルの樹脂薄肉部の動きを示す側面図。
【発明を実施するための形態】
【００１７】
以下、図面を参照しながら本発明の実施形態を説明する。なお、本明細書において、図１に示されるヒンジ体の長尺方向を「上下」とし、それと直交する方向を「左右」とする。
【００１８】
（第１実施例）
図１及び図２に示される第１実施例のファイル１は、異なる合成樹脂の材料でそれぞれ形成される表紙体２とヒンジ体３とがそれぞれの一側端において上下方向の略全長に亘って接合されている。これは、表紙体２を形成する材料が溶解された溶解液とヒンジ体３を形成する材料が溶解された溶解液とを隣り合う経路に流して両者が接合するように冷却しながら固化させて成形されるものである。
【００１９】
この実施例によれば、ファイル１の表紙を構成するための部品は表紙体２とヒンジ体４のみであり、部品点数が少なく、さらに従来の肉薄部を介して表紙部と背表紙部とが一体に形成された合成樹脂製のファイルと比べて重量がほとんど変わらず、安価で軽量なファイルを提供することができるため、この実施例は表紙体２の面積が小さいファイルに採用するのに適している。
【００２０】
しかし、特性が異なる２種類の溶解液の流れを同時に制御しながら表紙体２とヒンジ体３とをそれぞれ成形しなければならないため、とくに表紙体２の面積が大きい場合は、溶解液の量が多くその流れを制御することが困難であることから、成形される表紙体２の形状に歪みが生じやすい。この問題が生じることを避けるため、表紙体２とヒンジ体３とをそれぞれ別に成形した後、そのいずれかもしくは両方に接着剤などを塗布して両者を接合してもよい。
【００２１】
（第２実施例）
表紙体２とヒンジ体３とをそれぞれ別に成形しながら接着剤を用いずに両者を接合するため、図３に示すように、表紙体１を構成する材料と同じ材料で成形される接合体４を介して表紙体２とヒンジ体３とを接合するように形成してもよい。より具体的には、図４に示すように、長尺板状の接合体４１の片面の略全面をヒンジ体３に接合するように形成する。すなわち、異なる合成樹脂の材料でそれぞれ形成される接合体４１とヒンジ体３とがそれぞれの一側端において上下方向の略全長に亘って接合されるように、接合体４１を形成する材料が溶解された溶解液とヒンジ体３を形成する材料が溶解された溶解液とを隣り合う経路に流して両者が接合するように冷却しながら固化させて成形し、これらとは別に成形した表紙体２の一部と接合体４１とを重合させて溶着などの方法により接合する。なお、表紙体２と接合体４１との接合は、両者が同じ材料により形成されているならこれらを溶着することに特段の困難性は無いが、この方法に限られるものではなく、接着剤などによって接合してもよい。
【００２２】
この実施例によれば、接合体４１は、少なくとも表紙体２より大きい面積を有する必要はなく、ヒンジ体３と同程度或いはそれよりも小さい面積の長尺状を形成すればよいため、比較的容易にヒンジ体３と接合体４１とを同時に成形でき、さらに、表紙体２を他の部品とは別に単独で成形することが可能であるため、この工程において、成形される表紙体２の形状に歪みが生じないように材料を管理することに注力できるため、表紙体２の成形の困難性は格段に下がる。
【００２３】
加えて、この実施例によれば、ヒンジ体３と接合体４１との境界付近において表紙体２と接合体４１とが重合されて接合された状態が形成されるため、この箇所における材料の撓みは生じにくく、従って接合体４１を形成する材料とヒンジ体３を形成する材料との異なる柔軟性により両者が異なる撓みを生じることによりそれぞれが離脱することを防ぐことができることから、優れた耐久性を有するファイル１を提供することができる。
【００２４】
（第３実施例）
第２実施例では接合体４１を長尺板状としたが、ヒンジ体３と接合体との境界付近の耐久性をさらに高めるため、図５に示すように、断面略コの字状を呈する欠損柱状の接合体４２としてもよい。すなわち、接合体４２は、底板４２１と、当該底板から略垂直に立設された起立板４２２と、当該起立板から延出して前記底板と略平行状を呈する上板４２３と、とを有し断面が略コの字状を呈し、底板もしくは上板の起立板と接する一側端や起立板がヒンジ体３と接合され、表紙体２の端部が、前記底板の前記上板と対向する面および前記上板の前記底板と対向する面のいずれかもしくは両方に接合される、つまり、表紙体が略コの字状の内側に挟まれるように接合されるように形成してもよい。このように形成すると、ヒンジ体３と接合体４２との境界付近において、材料が３枚重なることに加え、それらと直交する方向にさらに起立板を構成する材料が配置されるため、この箇所の耐久性が格段に向上する。
【００２５】
（第４実施例）
第１乃至第３実施例のファイルは、表紙体２が第１表紙体２１と第２表紙体２２とからなり、これらが表表紙と裏表紙とを形成するファイルであれば、ファイルが綴じられた状態においてヒンジ体３がその背表紙を形成することになるが、その背表紙の一部を構成する部材として、図６に示すように、ヒンジ体３の左右方向略中央に第３表紙体２３を設けてもよい。すなわち、第１表紙体２１と第２表紙体２２とがそれぞれ表表紙と裏表紙とを構成し、これらを形成する材料と同じ種類の材料により長尺状に形成された第３表紙体２３を有し、第３表紙体２３の左右方向の両側端の略全長に亘ってそれぞれ第１ヒンジ体３１および第２ヒンジ体３２が接合され、第１ヒンジ体３１および第２ヒンジ体３２において第３表紙体２３と接合された側端と左右方向で対向する側端がそれぞれ第１表紙体２１および第２表紙体２２の側端あるいは接合体４１、４２の側端に上下方向略全長に亘って接合されるようにしてもよい。
【００２６】
例えば、書類などを収納するために極薄肉状のシートにより形成されたポケット５をファイルに接合する方法が知られているが、背表紙の一部としての第３表紙体２３を有さずヒンジ体３のみが背表紙を構成するファイルにおいてこの方法を採用する場合、ヒンジ体３が熱性が低くこのようなポケット５を溶着により接合するのに適さない材料で構成されるのであれば、図７に示すように、ポケット５を表紙体２、２１、２２、接合体４、４１、４２などに接合しなければならず、ファイル１のデザインの選定を拘束することになる。
【００２７】
さらに、ヒンジ体３のみが背表紙を構成するのであれば、ファイル１が大量の書類を綴じることができるように背表紙の左右方向の幅、すなわちファイルの厚さを大きく設定する場合、ヒンジ体３の弾力性の高さゆえ書類の重みにより背表紙の位置が極めて不安定なのもとなるため、このような場合には表紙体２、２１、２２や接合体４、４１、４２と同じ固さを持つ第３表紙体２３を設けることが好ましい。
【００２８】
第３表紙体２３を有する構成であれば、例えば図８、図９に示すように、第３表紙体２３を構成する材料と同じ種類の材料により形成された複数のポケット５を第３表紙体２３に溶着などの方法により接合することが容易であるし、さらに、図示しないが、同様の材料の綴じ具を第３表紙体２３に溶着などの方法により接合することや、所謂厚型ファイルのように左右方向の幅が広く多量の収納物を収納するために高い耐久性が求められるファイルの背表紙としての第３表紙に金属製の綴じ具装着することも可能である。なお、第３表紙体２３は、第１乃至第３実施例のファイルのいずれに採用してもよい。
【００２９】
図１２に示すように、樹脂製の表紙部と背表紙部とが一体に形成されたファイルは、樹脂製板材の片面である第一面からその対面である第二面にむかう凹部を各表紙の長手方向に延在するように形成されることでその長手方向に樹脂肉薄部が設けられており、図１２（ａ）の形状で成形された場合はその初期状態から背表紙８に対して表紙７を図１２（b）の状態に回動させる場合に、図１２（ｂ）の形状で成形された場合はその初期状態から背表紙８に対して表紙７を図１２（ａ）の状態に回動させる場合に、それぞれ樹脂薄肉部９に対して内部応力が生じ、いずれの場合でも、その初期状態から背表紙８に対して表紙７を図１２（ｃ）の状態に回動させる場合には、凹部の表紙部側端部と背表紙部側端部とが当接することにより、その当接部を起点に樹脂薄肉部に対して表紙部と背表紙部とが離れる方向に引っ張る力が働き、さらに、図１２（ａ）の状態から図１２（ｃ）の状態への回動を経て更に背表紙８に対して表紙７を同方向に回動させると樹脂薄肉部がより強く引っ張られ、これらのような動作を繰り返すと、樹脂薄肉部から表紙部と背表紙部とが切断されてしまう虞がある。
【００３０】
これに対し、本発明の各実施形態のファイル１は、ヒンジ体３の高い弾力性により、内部応力を吸収するばかりか、第１表紙体２１と第２表紙体２２とがファイル１の収納物を挟んで略平行の関係にある状態からいずれかの表紙体を他の表紙体に対して相対的に回動させて両者の角度が略１８０度を構成する状態へ変位させ、その状態を経てさらに同方向に回動させて、図１０に示すような収納物の下層で第１表紙体２１と第２表紙体２２とが接するように重合する状態へと変位させることが容易に可能なものである。
【００３１】
すなわち、本発明の各実施形態のファイル１は、いずれかの表紙体を他の表紙体に対して相対的に略３６０度回動させることが容易で、例えば、図１１に示すように、利用者６がファイル１を手に持ちながらこれに綴じられた書類のうち特定のページのみを提示する場合、概ね１８０度までしか開かない既存のファイルにて同様の行為をなす場合に比べ、提示することを所望するページの隣に位置するページを提示せずに済むばかりか、手で持つべきファイルの範囲を半分にすることができ、非常に使い勝手のよいものである。
【００３２】
なお、第１材料として、例えばポリプロピレンを採用してもよい。この合成樹脂は、文房具やプラスチック部品に広く採用されており、強度が高く吸湿性が無いという特徴を持ち、紙葉で構成される書類を綴じるファイルの表紙に用いることに適しているが、この樹脂に限定しなくてもよい。他方、第２材料として、例えば熱可塑性エラストマーを採用してもよい。この合成樹脂は、ゴム状の弾力性を有するため、頻繁に３６０度の回転を要するヒンジ体３の材料として好適であるが、耐熱性が低いため溶着などの工程には適さず、従って第３表紙体２３を採用するのが好ましい場合がある。
【符号の説明】
【００３３】
１  ファイル
２  表紙体
２１  第１表紙体
２２  第２表紙体
２３  第３表紙体
３  ヒンジ体
３１  第１ヒンジ体
３２  第２ヒンジ体
４  接合体
４１  第１接合体
４２  第２接合体
４２１  底板
４２２  起立板
４２３  上板
５  ポケット
６  利用者
７  表紙部
８  背表紙部
９  樹脂薄肉部
【図１】
2015229309.tif 000003
【図２】
2015229309.tif 000004
【図３】
2015229309.tif 000005
【図４】
2015229309.tif 000006
【図５】
2015229309.tif 000007
【図６】
2015229309.tif 000008
【図７】
2015229309.tif 000009
【図８】
2015229309.tif 000010
【図９】
2015229309.tif 000011
【図１０】
2015229309.tif 000012
【図１１】
2015229309.tif 000013
【図１２】
2015229309.tif 000014